(57)【要約】ディスプレイを有する装置は、第１の向きにおける視聴のための表示データが画面に供給される第１のモードと、第２の直交する向きにおける視聴のための表示データが画面に供給される第２のモードの少なくとも２つのモードにおいて動作可能である。第１のモードでは、表示データは、画面を埋め、第２のモードでは、表示データは、画面を埋めるための少なくとも２つの画像を有する。第２のモードにおける２つの画像のうちの少なくとも１つについてのアスペクト比は、第１のモードにおける画像についてと同じであることが可能となる。
2005524164.tif 000002
【特許請求の範囲】
【請求項１】
画面を有する電子ディスプレイと、前記画面に表示データを供給する回路とを有する電子装置であって、
前記回路は、第１の向きにおける視聴のための表示データが前記画面に供給される第１のモードと、第２の直交する向きにおける視聴のための表示データが前記画面に供給される第２のモードである、少なくとも２つのモードで動作可能であり、
前記第１のモードでは、前記表示データは、前記画面を実質的に埋める表示のための第１の画像を有し、
前記第２のモードでは、前記表示データは、前記画面の異なる領域を占めるための第２の画像及び第３の画像を有する電子装置。
【請求項２】
前記画面は、約１６：９のアスペクト比を有する請求項１記載の装置。
【請求項３】
前記画面は、約１．４：１のアスペクト比を有する請求項１記載の装置。
【請求項４】
前記第２の画像及び前記第３の画像は、上下に設けられ、前記第２の向きにおいて前記画面の全幅を実質的に占める請求項１乃至３のうちいずれか一項記載の装置。
【請求項５】
前記表示画面は、前記第１の向きと前記第２の向きの間を前記装置に対して回転可能である請求項１乃至４のうちいずれか一項記載の装置。
【請求項６】
画面上にデータを表示する方法であって、
第１の動作モード又は第２の動作モードに応じて表示するかどうかを決定する段階と、
前記第１の動作モードで表示する場合は、第１の向きにおいて前記画面を実質的に埋めるよう画像を有する表示データを供給する段階と、
前記第２の動作モードで表示する場合は、第２の直交する向きにおいて前記画面の異なる領域を占めるための第２の画像及び第３の画像を有する表示データを供給する段階と、
を有する方法。
【請求項７】
前記第２の画像及び前記第３の画像は、上下に設けられ、前記第２の向きにおいて前記画面の全幅を実質的に占める請求項６記載の方法。
【請求項８】
前記第１の動作モード又は第２の動作モードに応じて表示するかどうかを決定する段階は、前記表示データに依存して自動的に行われる請求項６又は７記載の方法。
【請求項９】
前記第１の動作モード又は第２の動作モードに応じて表示するかどうかを決定する段階は、前記装置のユーザからの命令を受信する段階を有する請求項６又は７記載の方法。
【発明の詳細な説明】
【発明の詳細な説明】
【０００１】
本発明は、ディスプレイを有する電子装置に関り、特に、しかし排他的にではないが、携帯可能な装置に係る。
【０００２】
しばしば「ウェブパッド」又は「マルチメディアタブレット」と称される装置は、普及してきており、ディスプレイ出力と何らかの形の入力インタフェースを有する手持ち式の携帯可能な装置を意味する。ディスプレイ画面は、一般的に、タッチ反応入力を有する。このタッチ反応入力は、この装置へのメインのユーザ入力であり得るが、一部のキー及びジョイスティックといった他の入力も設けられ得る。これらの装置は、ウェブブラウジング又はビデオ材料の視聴、或いはこれらの組合せのために用いられる。
【０００３】
これらの装置は一般的に、比較的小さく、例えば、大きくともＡ４サイズであり、手持ち式である。ディスプレイが風景モード又はポートレートモードで駆動されることを可能にし、また、装置の物理的な向きは、所望のモードに簡単に適応されることが提案される。
【０００４】
例えば、ビデオデータ、ウェブデータ、又はテレテキスト情報といった様々な情報ソースを同時に視聴するために、分割画面構成を使用することがますます一般的となってきている。多数のデータソースを表示するために画面を分割することの問題点は、ビデオデータのアスペクト比が、少なくとも、一定に保たれるべきであるという点である。ビデオ出力が、他のデータの表示のための空間を与えるためにサイズ縮小されると、画面の分割は、他のデータについて不揃いの形をもたらす。その結果、一部のディスプレイ領域は無駄となるか、又は、ビデオデータのアスペクト比が変更され、このことはビデオ画像を歪ませてしまう。
【０００５】
本発明によると、画面を有する電子ディスプレイと、画面に表示データを供給する回路とを有する電子装置が提供され、この回路は、第１の向きにおける視聴のための表示データが画面に供給される第１のモードと、第２の直交する向きにおける視聴のための表示データが画面に供給される第２のモードである、少なくとも２つのモードで動作可能であり、第１のモードでは、表示データは、画面を実質的に埋める表示のための第１の画像を有し、第２のモードでは、表示データは、画面の異なる領域を占めるための第２の画像及び第３の画像を有する。
【０００６】
この装置は、単一の画像が、１つの向きにおいて画面を埋めることを可能にし、２つ（又はそれ以上）の画像が同時に見られるときは、垂直向きを使用することができる。このことは、第２の画像及び第３の画像のうち少なくとも１つのアスペクト比を、第１の画像のアスペクト比と同じくし、同時に、画面の幅を依然として埋めることを可能にする。従って、第２の画像及び第３の画像はそれぞれ矩形を占め、１つの矩形は、画面と同じアスペクト比を有し、第２の矩形及び第３の矩形は共に画面を実質的に埋め得る。
【０００７】
画面は、標準的なビデオデータについて、１６：９のアスペクト比を有し得る。第１のモードでは、ビデオ画像は、画面を埋める。第２のモードでは、ビデオ画像は、その長さ寸法が９／１６に縮小され、結果として得られる画像は、画面の幅（第２の向きの場合の短い辺）を埋める。
【０００８】
或いは、画面は、約√２：１のアスペクト比を有し得る。この場合、画面を回転することにより、同一のアスペクト比を有する２つのサブ画面が得られる。
【０００９】
第２の画像及び第３の画像は、上下に設けられ、第２の向きにおいて画面の全幅を実質的に占めることが好適である。
【００１０】
表示画面は、第１の向きと第２の向きとの間を装置に対して回転可能であり得る。このことは、キーといった他の入力装置の向きを一定に保つことを可能にする。このことは、装置がキーボードを有する場合に適している。しかし、このことは必須ではなく、例えば、メインの入力がタッチ反応画面であるとき、装置全体を単に回転することが適切である場合がある。
【００１１】
例えば、遠隔ジョイスティック、キーボード、マウス等の入力装置は、画面を担持する装置の部分から取外し可能であり得る。
【００１２】
本発明は更に、画面上にデータを表示する方法を提供し、この方法は、第１の動作モード又は第２の動作モードに応じて表示するかどうかを決定する段階と、第１の動作モードで表示する場合は、第１の向きにおいて画面を実質的に埋めるよう画像を有する表示データを供給する段階と、第２の動作モードで表示する場合は、第２の直交する向きにおいて画面の異なる領域を占めるための第２の画像及び第３の画像を有する表示データを供給する段階を有する。
【００１３】
第１の動作モード又は第２の動作モードに応じて表示するかどうかを決定する段階は、表示データに依存して自動的に行われるか、又は、装置のユーザからの命令に応答して行われる。
【００１４】
本発明の例を、添付図面を参照しながら詳細に以下に説明する。
【００１５】
図１は、本発明の電子装置１０を示す。この装置は、例えば、ウェブ及びビデオデータを見るための携帯可能な装置である。装置１０は、画面１４を有する例えば、液晶ディスプレイであるディスプレイ１２を有する。内部には、ディスプレイを駆動する従来の回路が設けられる。
【００１６】
画面１４は、タッチ反応入力面を有し、このタッチ反応入力面は、他の手動入力インタフェースの必要を回避し得るが、例示的に、一部のキー入力１６及び遠隔ジョイスティック１８を示す。画面中でカーソルを動かすためのマウスパッド、及び、数字キーボード又は更にはフルキーボードといった他の可能な入力装置も多くある。
【００１７】
本発明では、ディスプレイは、第１の向きにおける視聴のための表示データが画面に供給される第１のモードと、第２の直交する向きにおける視聴のための表示データが画面に供給される第２のモードである、少なくとも２つのモードで駆動されることが可能である。特に、第１のモードでは、表示用の第１の画像は、実質的に画面を埋める。一方、第２のモードでは、２つの別個の画像が、画面の異なる領域を占める。
【００１８】
図２は、画面が、１６：９のアスペクト比を有するときの２つの直交向きにおけるディスプレイを示し、このアスペクト比は、画面を、ワイドスクリーンビデオ形式に適したものにする。
【００１９】
通常の風景向きでは、ビデオ画像は、図２Ａに示すように画面を埋めることが可能である。図２Ｂに示す第２のポートレート向きでは、２つの画像が同時に見られる。図２Ｂにおける２つの画像のうち上の画像のアスペクト比は、同じ（即ち、１６：９）であり、ただし、長さ寸法は、９／１６に縮小され、画像は、画面の幅を占める。これは、下の画像のための矩形を残し、この矩形は、例えば、ビデオ（又はライブＴＶ）放送に関連付けられるウェブブラウザデータのために用いられ得る。図２Ｂに示すように、画面の残りの部分についてのアスペクト比は、９：１０．９３７５である。
【００２０】
図３に示すように、画面は、√２：１のアスペクト比を有し得る。この場合、画面を回転することによって、同一のアスペクト比を有する２つのサブ画面が得られる（√２：１＝１：√２／２であることにより）。このアスペクト比は更に、風景向きで画面を埋めるために同一のアスペクト比を有する４つのサブ画面も可能にする。
【００２１】
一般的に、装置全体が、選択された向きで見ることを可能にするために回転され得る。例えば、遠隔ジョイスティック、キーボード、マウス等の入力装置は、画面を担持する装置の部分から取外されることが可能であり、それにより、それらの入力装置は、装置の画面部分が回転されたときでも必要な向きを維持することができる。
【００２２】
或いは、図４に示すように、ディスプレイ画面は、矢印２０によって示すように、第１の向きと第２の向きとの間で装置に対して回転可能であり得る。このことは、キーといった他の入力装置の向きを、一定に維持することを可能にする。このことは、例えば、装置が、一体化式キーボードを有する場合に適切であり得る。
【００２３】
表示モードを切替えるために、ユーザは、適切な入力を行い得る。或いは、表示モードの切替えは、表示データに依存して自動的であり得る。ディスプレイが（図４に示すように）物理的に回転可能である場合、向きは感知されることが可能であり、そして、ディスプレイは適切に駆動される。
【００２４】
ディスプレイを２つのモードで駆動する機能は、従来のディスプレイの動作への適応を必要とする。この適応は純粋にソフトウェアにおけるものであることが好適であり、それにより、縦列及び横列の駆動回路の適応は必要とされない。風景又はポートレートモードでディスプレイを駆動する機能を有する装置は既知であり、本発明の具体的な実施は、当業者には日常である。
【００２５】
他の変更は、当業者には明らかであろう。
【図面の簡単な説明】
【００２６】
【図１】本発明の装置を示す図である。
【図２Ａ】第１の画面アスペクト比についての、図１の装置の画面向きを示す図である。
【図２Ｂ】第１の画面アスペクト比についての、図１の装置の画面向きを示す図である。
【図３Ａ】第２の画面アスペクト比についての、図１の装置の画面向きを示す図である。
【図３Ｂ】第２の画面アスペクト比についての、図１の装置の画面向きを示す図である。
【図４】本発明の装置の第２の例を示す図である。
【図１】
2005524164.tif 000003
【図２Ａ】
2005524164.tif 000004
【図２Ｂ】
2005524164.tif 000005
【図３Ａ】
2005524164.tif 000006
【図３Ｂ】
2005524164.tif 000007
【図４】
2005524164.tif 000008
【国際調査報告】
2005524164.tif 000009
2005524164.tif 000010